(57)【要約】【課題】  浴室の壁面などの鉛直壁面に、架具を使用せずとも保管可能な、サンダル、スリッパ等の上部開放型履物を実現する。【解決手段】足の上部全体を囲繞するような手段が備えられていない上部開放型履物において、足底部が載置される足載置面に支持軸を介して吸盤が備えられており、当該吸盤はその吸着面が上方を向いている上部開放型履物。【選択図】  図１
2005095543.tif 000002
【特許請求の範囲】
【請求項１】
足の上部全体を囲繞するような手段が備えられていない上部開放型履物において、足底部が載置される足載置面に支持軸を介して吸盤が備えられており、当該吸盤はその吸着面が上方を向いている上部開放型履物。
【請求項２】
吸盤の支持軸は、足の指又間に位置する部位に植設されている請求項１記載の上部開放型履物。
【請求項３】
吸盤の支持軸は、足の親指と人差指の間に位置し、吸盤の下面と足載置面との間に足の指頭が位置するように構成される請求項２記載の上部開放型履物。
【請求項４】
鼻緒が備えられ、当該鼻緒の前方付け根部に吸盤の支持軸が位置している請求項１ないし請求項３のいずれかに記載の上部開放型履物。
【請求項５】
足甲の上部を保持する足保持ベルトが備えられている請求項１ないし請求項３のいずれかに記載の上部開放型履物。
【請求項６】
足保持ベルトの外部に、吸着面が外方を向いた吸盤が供えられている請求項５記載の上部開放型履物。
【請求項７】
足の上部全体を囲繞するような手段が備えられていない上部開放型履物において、足底部が載置される足載置面に複数の吸盤が備えられており、当該吸盤はその吸着面が上方を向いている上部開放型履物。
【請求項８】
足の上部全体を囲繞するような手段が備えられていない上部開放型履物において、足底部が載置される足載置面で、足の踵部の外方に吸盤が備えられており、当該吸盤はその吸着面が上方を向いている上部開放型履物。
【発明の詳細な説明】
【技術分野】
【０００１】  本発明は、スリッパやサンダル、草履、下駄等の足の上部全体を囲繞する手段が備えられていない上部開放型履物に関するものである。【０００２】  なお、足甲を保持する足保持ベルトや鼻緒等が存在していても、足の上面全体を囲繞する手段が備えられていないものは本発明に含まれるものである。
【背景技術】
【０００３】  スリッパやつっかけ、サンダル、草履、下駄等の各種の履物を収納する場合、通常の靴と同様にその底面が地上側に対向した状態（平面が水平と平行状態）で保管される。【０００４】  従って、浴室等の狭い空間で当該履物を保管しようとすると、床にその保管面積が必要となり邪魔になることが多い。【０００５】  そこで、履物の平面が鉛直方向と平行になるように、側壁などに架ければ、かかる課題は解決されるが、そのためには側壁等に架具を装着しなければならず、煩わしくまた美観を損ねるおそれもあった。
【課題を解決するための手段】
【０００６】  第１の発明は、足の上部全体を囲繞する手段が備えられていない上部開放型履物において、足底部が載置される足載置面に支持軸を介して吸盤が備えられており、当該吸盤はその吸着面が上方を向いている上部開放型履物である。
【０００７】  本発明では、足の上部全体を囲繞するような手段が備えられておらず、足底部が載置される足載置面に支持軸を介して吸盤が備えられ、当該吸盤はその吸着面が上方を向いているので、当該履物を保管する際には、前記吸盤を側壁に吸着固定させれば、当該履物の平面が鉛直方向と水平な方向となった状態で保管することが可能となって、床等に保管する必要はなく、スペース効率が向上する。
【０００８】  第２の発明は、第１の発明を前提とし、吸盤の支持軸は、足の指又間に位置する部位に植設されている上部開放型履物である。
【０００９】  本発明では、吸盤の支持軸が足の指又間に位置する部位に植設されているので、前記支持軸を足の指又に挿入すると、前記吸盤の下面が足の指頭の上部を保持することになり、その状態で歩行しても当該履物が足から脱落することはない。
【００１０】  第３の発明は、第２の発明を前提とし、吸盤の支持軸は、足の親指と人差指の間に位置し、吸盤の下面と足載置面との間に足の指頭が位置するように構成される上部開放型履物である。
【００１１】  本発明では、吸盤の支持軸は、足の親指と人差指の間に位置し、吸盤の下面と足載置面との間に足の指頭が位置するように構成されるので、前記支持軸を足の親指と人差指との間に挿入すると、前記吸盤の下面が足の指頭の上部を保持する鼻緒の役を果たすことになり、その状態で歩行しても当該履物が足から脱落することはない。
【００１２】  第４の発明は、第１ないし第３のいずれかの発明を前提とし、鼻緒が備えられ、当該鼻緒の前方付け根部に吸盤の支持軸が位置している上部開放型履物である。
【００１３】  本発明では、鼻緒の前方付け根部に吸盤の支持軸が位置しているので、鼻緒の前方取付具と前記支持軸を兼用することができ、また鼻緒によって、履物の足からの脱落はより一層確実に防止される。
【００１４】  第５の発明は、第１ないし第３のいずれかの発明を前提とし、足甲の上部を保持する足保持ベルトが備えられている上部開放型履物である。
【００１５】  本発明では、足甲の上部を保持する足保持ベルトが備えられているので、履物の足からの脱落はより一層確実に防止される。
【００１６】  第６の発明は、第５の発明を前提とし、足保持ベルトの外部に、吸着面が外方を向いた吸盤が供えられている上部開放型履物である。
【００１７】  本発明では、足保持ベルトの外部に吸着面が外方を向いた吸盤が供えられているので、当該吸盤を利用して上部開放型履物を鉛直側壁等に吸着固定することが可能となる。
【００１８】  第７の発明は、足の上部全体を囲繞する手段が備えられていない上部開放型履物において、足底部が載置される足載置面に複数の吸盤が備えられており、当該吸盤はその吸着面が上方を向いている上部開放型履物である。
【００１９】  本発明では、足載置面に複数の吸盤が備えられており、当該吸盤はその吸着面が上方を向いているので、当該吸盤上に足の裏面を設置すると当該吸盤によって履物が足の裏面に吸着し、鼻緒や足保持ベルトが備えられていなくとも、当該履物は足の裏面から離脱することはない。
【００２０】  なお、当該履物を保管する際には、前記各発明と同様に、前記吸盤を側壁に吸着固定させれば、当該履物の平面が鉛直方向と水平な方向となった状態で保管することが可能となって、床等に保管する必要はなく、スペース効率が向上する。
【００２１】  第８の発明は、足の上部全体を囲繞するような手段が備えられていない上部開放型履物において、足底部が載置される足載置面で、足の踵部の外方に吸盤が備えられており、当該吸盤はその吸着面が上方を向いている上部開放型履物である。
【００２２】  本発明では、足の踵部の外方に吸盤が備えられており、当該吸盤はその吸着面が上方を向いているので、当該吸盤を利用することにより上部開放型履物を鉛直側壁等により一層確実に吸着固定することが可能となり、また当該吸盤により足の踵部を保持することも可能となって、歩行時に足から上部開放型履物が脱落するおそれは一層回避される。
【発明を実施するための最良の形態】
【００２３】  図面はいずれも本発明の実施の形態を示し、図１は第１の実施の形態の斜視図で、図２はその平面図、図３は吸盤部の部分断面図、図４は壁面に吸着固定させた状態の側面図、図５は第２の実施の形態の平面図、図６は第３の実施の形態の部分側面図、図７は第４の実施の形態の斜視図そして図８は第５の実施の形態の斜視図である。【００２４】  本実施の形態においては上部開放型履物としてサンダルを採用している。【００２５】  図１ないし図３において、１は合成スポンジ材にて形成されているサンダル本体で、その上面（足載置面）に人間の足の底部（足裏）が載置される。【００２６】  前記サンダル本体１の上面で、足の親指と人差指との間に対応する部位には、上端に吸盤２が一体的に固着されている支持軸３が植設されている。【００２７】  また、前記サンダル本体１の中央部近傍には、足甲の上部を保持する足保持ベルト４がループ状に装着され、サンダル本体１の下面には若干硬質の底板５が張着されている。【００２８】  而して、図２に示すように、足を、支持軸３が足の親指６と人差指７との間に位置するように挿入すると、前記吸盤２の下面が足の指頭の上部を保持する鼻緒の役を果たすことになり、その状態で歩行しても当該履物が足から脱落することはない。【００２９】  なお、前記支持軸３は足の親指６と人差指７との間及び若しくは他の足の指頭間に位置していてもよい。【００３０】  そして当該サンダルを浴室等の壁面８に吸着固定させるには、前記吸盤２を壁面８に押し当てると、図４に示すように容易に保持される。【００３１】  図５に示す実施の形態では、鼻緒９が備えられ、当該鼻緒９の前方付け根部に吸盤２の支持軸３が一体的に接合されている。【００３２】  従って、鼻緒９の前方付け根部と吸盤の２の支持軸を兼用することができる。【００３３】  図６に示す実施の形態では、前記各実施の形態と異なり、サンダル本体１の表面側に複数の吸盤２が設けられており、当該吸盤２上に足の裏面を設置すると当該吸盤２によってサンダルが足の裏面に吸着し、前記鼻緒９や足保持ベルト４が備えられていなくとも、当該サンダルは足の裏面から離脱することはない。【００３４】  なお、サンダルを保管する際には、前述と同様に、吸盤２の一部を壁面８に吸着固定させれば、当該サンダルの平面が鉛直方向と水平な方向となった状態で保管することが可能となって、床等に保管する必要はなく、スペース効率が向上する。【００３５】  図７に示す実施の形態では、足の踵部の更に後方にも吸盤２が固設されており、当該吸盤を利用するとサンダル本体１を鉛直側壁等により一層確実に吸着固定することが可能となり、また後方の吸盤により足の踵部を保持することも可能となって、歩行時に足からサンダル本体１が脱落するおそれは一層回避される。【００３６】  図８に示す実施の形態では、足保持ベルト４の外部に吸着面が外方を向いた吸盤２が複数個供えられているので、当該吸盤２を利用してサンダル本体を鉛直側壁等に吸着固定することが可能となる。
【発明の効果】
【００３７】  第１の発明では、足の上部全体を囲繞する手段が備えられておらず、足底部が載置される足載置面に支持軸を介して吸盤が備えられ、当該吸盤はその吸着面が上方を向いているので、当該履物を保管する際には、前記吸盤を側壁に吸着固定させれば、当該履物の平面が鉛直方向と水平な方向となった状態で保管することが可能となって、床等に保管する必要はなく、スペース効率が向上する。
【００３８】  また壁面に架具を固設する必要がなく、経済的で且つ美感を損ねることもない。
【００３９】  第２の発明では、吸盤の支持軸が足の指又間に位置する部位に植設されているので、前記支持軸を足の指又に挿入すると前記吸盤の下面が足の指頭の上部を保持することにり、その状態で歩行しても当該履物が足から脱落することはない。
【００４０】  第３の発明では、吸盤の支持軸は、足の親指と人差指の間に位置し、吸盤の下面と足載置面との間に足の指頭が位置するように構成されるので、前記支持軸を足の親指と人差指との間に挿入すると、前記吸盤の下面が足の指頭の上部を保持する鼻緒の役を果たすことになり、その状態で歩行しても当該履物が足から脱落することはない。
【００４１】  第４の発明では、鼻緒の前方付け根部に吸盤の支持軸が位置しているので、鼻緒の前方取付具と前記支持軸を兼用することができ、また鼻緒によって、履物の足からの脱落はより一層確実に防止される。
【００４２】  第５の発明では、足甲の上部を保持する足保持ベルトが備えられているので、履物の足からの脱落はより一層確実に防止される。
【００４３】  第６の発明では、足保持ベルトの外部にも吸着面が外方を向いた吸盤が供えられているので、当該吸盤を利用して上部開放型履物を鉛直側壁等により一層確確実に吸着固定することが可能となる。
【００４４】  第７の発明では、足載置面に複数の吸盤が備えられており、当該吸盤はその吸着面が上方を向いているので、当該吸盤上に足の裏面を設置すると当該吸盤によって履物が足の裏面に吸着し、鼻緒や足保持ベルトが備えられていなくとも、当該履物は足の裏面から離脱することはない。
【図面の簡単な説明】
【図１】  本発明の第１の実施の形態の斜視図である。
【図２】  本発明の第１の実施の形態の平面図である。
【図３】  本発明の第１の実施の形態の吸盤部の部分断面図である。
【図４】  本発明の第１の実施の形態を壁面に吸着固定させた状態の側面図である。
【図５】  本発明の第２の実施の形態の平面図である。
【図６】  本発明の第３の実施の形態の部分側面図である。
【図７】  本発明の第４の実施の形態の斜視図である。
【図８】  本発明の第５の実施の形態の斜視図である。
【符号の説明】
１  サンダル本体
２  吸盤
３  支持軸
４  足保持ベルト
６  親指
７  人差指
８  壁面
９  鼻緒
【図１】
2005095543.tif 000003
【図２】
2005095543.tif 000004
【図３】
2005095543.tif 000005
【図４】
2005095543.tif 000006
【図５】
2005095543.tif 000007
【図６】
2005095543.tif 000008
【図７】
2005095543.tif 000009
【図８】
2005095543.tif 000010